(57)【要約】【課題】  吐水ヘッドを水栓本体の下側から装着して、安定に保持させるとともに、下側へ引き出すという自然な動作で吐水ヘッドを水栓本体から離脱できるようにする。【解決手段】  吐水側の端部に至る連続した空洞部を有する水栓本体と、その水栓本体の空洞部に引き出し可能に挿通された給水ホースと、その給水ホースの先端部に接続された吐水ヘッドとを備える。吐水ヘッドは下側から、水栓本体の先端部に着脱自在に嵌合される。そして、水栓本体側の弾性係合部が吐水ヘッド側の係合凹部に係合することにより、吐水ヘッドの自重が支えられる一方で、吐水ヘッドを把持して下側へ引けば、供給ホースとともに吐水ヘッドを所定長さ引き出すことができる。【選択図】  図６
2010095947.tif 000002
【特許請求の範囲】
【請求項１】
吐水側の端部の軸線が水平よりも下側を向く形態で形成され、その吐水側の端部に至る連続した空洞部を有する水栓本体と、
その水栓本体の前記空洞部に、自身の長さ方向に移動可能かつ前記吐水側の端部から引出し可能に挿通されて、基端部が給水元に接続された、可撓性を有する給水ホースと、
その給水ホースの前記吐水側の端部に接続され、前記水栓本体の吐水側の端部に形成されたヘッド嵌合部に着脱可能に嵌合される吐水ヘッドと、
その吐水ヘッドと前記水栓本体のヘッド嵌合部との一方に形成され、前記水栓本体の軸線と交差する方向に弾性的に付勢された弾性係合部と、それらの他方に形成され、前記弾性係合部が係合する被係合部とを含む吐水ヘッド固定機構と、を備え、
その吐水ヘッド固定機構において前記弾性係合部が前記被係合部に係合した状態から、その吐水ヘッド部が前記水栓本体の吐出側端部から前記給水ホースと共に引き出される際には、その引出しの操作力により前記弾性係合部が前記被係合部から離脱し、その吐水ヘッド部が水栓本体の嵌合部に押し戻される際は、その押込み力により前記弾性係合部が前記被係合部に係合して、その吐水ヘッドが水栓本体の嵌合部に固定されることを特徴とする水栓装置。
【請求項２】
前記水栓本体のヘッド嵌合部には、その嵌合部から突出及び退避可能で、かつ突出方向に弾性部材によって弾性的に付勢されたストッパが前記弾性係合部の一要素として設けられ、他方、前記吐水ヘッドには、前記ストッパが前記弾性部材の付勢力で嵌入する係止凹部が前記被係合部として形成され、
かつ、それらストッパ及び係止凹部との少なくとも一方には、前記吐水ヘッドを前記ヘッド嵌合部から引き出す際の引出し力、並びにその吐水ヘッドをヘッド嵌合部へ押し込む際の押込み力により、前記弾性係合部としてのストッパを前記退避方向へ前記弾性部材の付勢力に抗して移動させるカム面が形成されている請求項１に記載の水栓装置。
【請求項３】
前記水栓本体の吐水側端部に形成されたヘッド嵌合部はテーパ状内周面を有し、前記吐水ヘッドはそのテーパ状内周面に対応するテーパ状外周面を備え、これらテーパ状内周面及び外周面が互いに接触ないしはごく接近する請求項１又は２に記載の水栓装置。
【請求項４】
前記吐水ヘッドが前記ヘッド嵌合部に嵌合して前記弾性係合部と被係合部との係合により吐水ヘッドが水栓本体に固定された状態で、前記水栓本体の吐出側端部の外周面と前記吐水ヘッドの外周面とは面一に連なり、あたかも吐出ヘッドが水栓本体の吐水側の端部を構成する形態とされた請求項１ないし３のいずれか１項に記載の水栓装置。
【請求項５】
前記水栓本体は、自身の基端部から上側に延びた後に下側に湾曲する円弧状の形態をなし、その円弧状の形態の、軸線が水平よりも下向きの先端部に下側から前記吐水ヘッドが嵌合する請求項１ないし４のいずれか１項に記載の水栓装置。
【請求項６】
前記水栓本体の基端部の一方の側に、前記給水ホースを介して前記吐水ヘッドへ供給される低温水の量を調節する第１調節ハンドルが、また他方の側に前記吐水ヘッドへ供給される高温水の量を調節する第２調節ハンドルが設けられ、これら第１及び第２調節ハンドルの操作により、吐水ヘッドから吐出される水の温度及び流量が調節される請求項１ないし５のいずれか１項に記載の水栓装置。
【請求項７】
前記水栓本体は横断面が円形の外周面を有し、前記吐水ヘッドはその水栓本体の外周面の直径に対応する直径を有する円筒外周面を備え、さらに前記第１及び第２調節ハンドルは、円柱状外面を有して、水栓本体と並列して立ち上がる請求項６に記載の水栓装置。
【発明の詳細な説明】
【技術分野】
【０００１】
この発明は、例えば流し台等に好適に使用される水栓装置に関する。
【背景技術】
【０００２】
住宅の流し台（シンク）に設置される水栓設備として、特許文献１に記載されているものが知られている。この水栓設備は、シンク台の上面に設置され、斜め上方に突出する枝分かれ部を有する水栓と、その水栓の枝分かれ部に着脱可能に固定される吐水ヘッドと、その吐水ヘッドと水栓とをつなぐ引き出しホースとを備えたものである。
【０００３】
【特許文献１】特開２００８−１１１２３７号公報
【発明の開示】
【発明が解決しようとする課題】
【０００４】
しかしながら、この特許文献１に記載の水栓設備は、柱状の水栓に対し斜め上向きに吐水ヘッドが、やかんの注ぎ口のように組みつけられるものであるため、構造上の一体感に乏しく、かつ吐水ヘッドの根元が水栓の枝分かれ部の開口に例えばセレーション結合で差し込まれるのみで、吐水ヘッドの自重によって水栓への固定状態が保持されるにすぎない。したがって、ぐらつき等により安定した一体性を得にくい欠点がある。
【０００５】
この発明は、水栓本体と吐水ヘッドとの形態上及び構造上の一体性ならびに剛性を高めた水栓装置を提供することを課題とする。
【課題を解決するための手段及び発明の効果】
【０００６】
この発明は、吐水側の端部の軸線が水平よりも下側を向く形態で形成され、その吐水側の端部に至る連続した空洞部を有する水栓本体と、
その水栓本体の前記空洞部に、自身の長さ方向に移動可能かつ前記吐水側の端部から引出し可能に挿通されて、基端部が給水元に接続された、可撓性を有する給水ホースと、
その給水ホースの前記吐水側の端部に接続され、前記水栓本体の吐水側の端部に形成されたヘッド嵌合部に着脱可能に嵌合される吐水ヘッドと、
その吐水ヘッドと前記水栓本体のヘッド嵌合部との一方に形成され、前記水栓本体の軸線と交差する方向に弾性的に付勢された弾性係合部と、それらの他方に形成され、前記弾性係合部が係合する被係合部とを含む吐水ヘッド固定機構と、を備え、
その吐水ヘッド固定機構において前記弾性係合部が前記被係合部に係合した状態から、その吐水ヘッド部が前記水栓本体の吐出側端部から前記給水ホースと共に引き出される際には、その引出しの操作力により前記弾性係合部が前記被係合部から離脱し、その吐水ヘッド部が水栓本体の嵌合部に押し戻される際は、その押込み力により前記弾性係合部が前記被係合部に係合して、その吐水ヘッドが水栓本体の嵌合部に固定されることを特徴とする。
【０００７】
このような水栓装置によれば、水栓本体の吐水側の端部に対し、吐水ヘッドが下側から装着されるとともに、両者間に設けられた弾性係合部と被係合部とを含む吐水ヘッド固定機構により、吐水ヘッドの自重が支持され、吐水ヘッドが水栓本体に対し安定に保持されることで、吐水ヘッドが下側から装着されるにもかかわらず、吐水ヘッドと水栓本体との一体性が高められる。
【０００８】
また、吐水ヘッドを水栓本体から引き出す際には、ユーザーの自然な操作である下側に吐水ヘッドを引き出すことにより水栓本体から容易に離脱させ、例えばシステムキッチンのシンクに設けられる水栓装置であれば、シンク内の隅々を洗い流すことが可能となる。なお、この明細書において「嵌合」とは、必ずしも相互に密着する意味に限られるものではなく、相互にごく近接して相対的な位置関係が実質上一義的に定まるものでもよい。
【０００９】
また本発明は、前記水栓本体のヘッド嵌合部には、その嵌合部から突出及び退避可能で、かつ突出方向に弾性部材によって弾性的に付勢されたストッパが前記弾性係合部の一要素として設けられ、他方、前記吐水ヘッドには、前記ストッパが前記弾性部材の付勢力で嵌入する係止凹部が前記被係合部として形成され、
かつ、それらストッパ及び係止凹部との少なくとも一方には、前記吐水ヘッドを前記ヘッド嵌合部にから引き出す際の引出し力、並びにその吐水ヘッドをヘッド嵌合部へ押し込む際の押込み力により、前記弾性係合部としてのストッパを前記退避方向へ前記弾性部材の付勢力に抗して移動させるカム面が形成されている。
【００１０】
このようにすれば、吐水ヘッドを水栓本体から引き出す際には、そのカム面の作用でストッパが弾性部材の付勢力に抗して係止凹部から離脱し、吐水ヘッドを水栓本体から容易に引き出すことができる。逆に、吐水ヘッドを水栓本体に押し込むようにすると、上記カム面の作用でストッパが弾性部材の付勢力に抗して一旦押し戻された後、係止凹部に嵌入することによって、吐水ヘッドが水栓本体に一体化され、吐水ヘッドの自重もそれによって支持される。このように、水栓本体に対し吐水ヘッドを引き出す際にも、また戻す際にも、それぞれワンアクションで離脱、装着操作ができる。
【００１１】
また本発明において、前記水栓本体の吐水側端部に形成されたヘッド嵌合部はテーパ状内周面を有し、前記吐水ヘッドはそのテーパ状内周面に対応するテーパ状外周面を備え、これらテーパ状内周面及び外周面が互いに接触ないしはごく接近する。
【００１２】
このように、テーパ状内周面とテーパ状外周面とを組合わせる嵌合により、がたつきを抑制して吐水ヘッドと水栓本体とを嵌合させることができ、また吐水ヘッドを押し込む際の案内・誘導作用も得られる。
【００１３】
また本発明において、前記吐水ヘッドが前記ヘッド嵌合部に嵌合して前記弾性係合部と被係合部との係合により吐水ヘッドが水栓本体に固定された状態で、前記水栓本体の吐出側端部の外周面と前記吐水ヘッドの外周面とは面一に連なり、あたかも吐出ヘッドが水栓本体の吐水側の端部を構成する形態とされる。
【００１４】
このようにすれば、水栓本体と吐水ヘッドとが形態的にも一体感のあるものとなり、従来のような柱状の水栓から斜め上方にシャワーハンドのような吐水ヘッドが延びでた形態に比べ、シンプルでスマートな外観が創出される。
【００１５】
また本発明において、前記水栓本体は、自身の基端部から上側に延びた後に下側に湾曲する円弧状の形態をなし、その円弧状の形態の、軸線が水平よりも下向きとされた先端部に下側から前記吐水ヘッドが嵌合する。
【００１６】
このように水栓本体が円弧状の形態をなし、その先端部に下側から吐水ヘッドが嵌合することにより、これまでにない斬新な水栓装置が実現し、かつ円弧状の下側に大きな空間を取ることができるから、洗う作業等をしやすくなる利点もある。
【００１７】
また本発明は、前記水栓本体の基端部の一方の側に、前記給水ホースを介して前記吐水ヘッドへ供給される低温水の量を調節する第１調節ハンドルが、また他方の側に前記吐水ヘッドへ供給される高温水の量を調節する第２調節ハンドルが設けられ、これら第１及び第２調節ハンドルの操作により、吐水ヘッドから吐出される水の温度及び流量が調節される。
【００１８】
このようにすれば、水栓本体に直接流量及び温度の調節レバーを付ける場合と比較し、水栓本体に無理な力がかからず、構造的な寿命を伸ばすことができる。
【００１９】
また本発明において、前記水栓本体は横断面が円形の外周面を有し、前記吐水ヘッドはその水栓本体の直径に対応する直径を有する円筒外周面を備え、さらに前記第１及び第２調節ハンドルは、円柱状外面を有して、水栓本体と並列して立ち上がる。
【００２０】
このようにすれば、水栓本体と第１及び第２調節ハンドルとが統一感ある形態となり、いっそう斬新な水栓装置となる。
【発明を実施するための最良の形態】
【００２１】
次に、本発明の実施の形態を図面に基づいて説明する。
【００２２】
図１は、本発明の水栓装置の好適な態様を示す正面図であり、図２はその背面図、図３右側面図、図４は平面図である。
【００２３】
まず、全体の概要を説明する。この水栓装置１は円弧状に形成された水栓本体２と、その先端部に着脱される吐水ヘッド５と、その水栓本体２の両側にそれぞれ回転操作可能に配置された第１調節ハンドル４１及び第２調節ハンドル４２を備えている。詳しくは後述するが、これら調節ハンドル４１及び４２の回転調節により吐水ヘッド５から吐水される水（湯水）の量及び温度が調節される。つまり、この水栓装置１はツーハンドル湯水混合水栓である。
【００２４】
水栓本体２及び第１・第２調節ハンドル４１及び４２は、システムキッチンを構成するワークトップ５１から上側に突出するように配置される。図３に示すように、水栓本体２はワークトップ５１から上側に突出し湾曲しつつ延びて、その先端の軸線が斜め下方を向くようにされ、そこに吐水ヘッド５が位置し、吐水ヘッド５を含めて全体としてほぼ半円弧状をなしている。
【００２５】
図５は、水栓本体２の先端部での断面図であり、水栓本体２は円形断面の筒部材を湾曲させた形態をなし、内部に円弧状の空洞部３を備えている。この空洞部３内には、可撓性を有する給水ホース４が挿通され、給水ホース４の先端に、前述の吐水ヘッド５が接続されている。
【００２６】
図７に更に詳細な断面図を示す。吐水ヘッド５は全体として浅い円筒状をなし、ベース部３４と外殻ケース部３５とを備えている。ベース部３４は浅い有底円筒状の形態をなし、その底部中心部には、円筒状のボス部３４ａが一体的に形成され、このボス部３４ａの内周に、給水ホース４がその先端部に取り付けられた端部プラグ３３の結合部３３ａにおいて、液密に圧入等により固定されている。給水ホース４の端部プラグ３３は、上記結合部３３ａと同心的にこれより大径とされた被拘束部３３ｂを備え被拘束部３３ｂが、その外側に装着されたテーパ筒部材２２により抱きかけるようにして保持される。テーパ筒部材２２は、被拘束部３３ｂに離脱不能に嵌合され、このテーパ筒部材２２の内側に形成されためねじと、ボス部３４ａの外周に形成されたおねじとのねじ結合により、給水ホース４の端部が、吐水ヘッド５に対して抜け止めされた状態で結合されている。
【００２７】
吐水ヘッド５のベース部３４の外周にはおねじが形成され、前記外殻ケース３５は浅い有底円筒状の形態をなして、その内周にめねじが形成され、そのケース３５の開口部内周がベース部３４の開口部外周にめねじとおねじのねじ結合により締め込まれ、両者の間がシール３８で液密にシールされた状態で、両者間に蓄水スペース３９が形成される。この外殻ケース部３５の底部には、それを厚さ方向に貫通して、蓄水スペース３９に連通する複数の吐水孔３６が形成されている。より詳しくは、例えば図９に示すように外殻ケース３５の中心に関して同心円状に形成された複数の円に沿って、多数の吐水孔３６が位置している。
【００２８】
図５、図６に示すように、水栓本体２の先端開口部には、円環状のリング部材１７が圧入・溶接その他適宜の手段により固定され、そのリング部材１７の内側に円環状の締付リング１６によりテーパ筒部材４０が、水栓本体２及び吐水ヘッド５の中心線と同心的に固定されている。テーパ筒部材４０は、水栓本体２の開口側に外方フランジ３０を備え、このフランジ３０が締付リング１６の内方フランジ３１に係止され、かつリング部材１７の、吐水ヘッド５側の端面から締め込まれた複数のねじ部材（例えばボルト、ビス等）１９により、テーパ筒部材４０の外方フランジ３０が締付リング１６とリング部材１７との間に狭圧されることによって、テーパ筒部材４０が水栓本体２と一体化されている。なお、締付リング１６とリング部材１７に対応する水栓本体２の円筒部を別体の短筒部２ａとして、この内側に予め締付リング１６を固定しておく。そして、短筒部２ａの端部と、水栓本体２の端部とを突き合わせてその境界で溶接等し、さらにその境界を仕上げ加工することにより、外観上は一体の水栓本体２となる。その後、締付リング１６の内方フランジ３１にテーパ筒部材４０の外方フランジ３０を組み付けた状態で、リング部材１７を締付リング１６に重ねて、ねじ部材１９を締め込むことにより、テーパ筒部材４０、締付リング１６、リング部材１７が一体化される。なお、この組付順序は適宜変更できる。
【００２９】
ねじ部材１９が締付リング１６に締めこまれた後、そのねじ部材（ボルト、ビス等）１９の背後にキャップ２１が嵌め込まれている。キャップ２１とのその装着構造及び機能を図１４（ａ）〜図１４（ｃ）により説明する。キャップ２１は、図１４（ａ）に示すように、円筒状の胴部２１ａと、その一端を覆うように形成された、きのこ状の頭部２１ｂと、胴部２１ａの外周に連続（もしくは不連続）に形成された装着凸条２１ｃ（胴部２１ａの外面から外方へ突出する複数の装着凸部でもよい）とを備え、弾性（柔軟性）を有する素材、例えば樹脂、ゴム等から構成される。頭部２１ｂの下面には、外方へ突出するフランジ面２１ｄが形成され、内部には空洞２１ｅが存在する。
【００３０】
このようなキャップ２１が図１４（ｂ）に示すように、リング部材１７に形成されたキャップ装着孔１７ａ、１７ｂに嵌め込まれ、胴部２１ａは装着凸部２１ｃ（又は凸条）の弾性変形をともなって、キャップ装着孔１７ａへ押し込まれ、頭部２１ｂはキャップ装着孔１７ｂへ収容されるとともに、胴部２１ａの底面がキャップ装着孔１７ａの底面に当接して（又は両装着孔１７ａ、１７ｂの境界に形成された肩面１７ｃに、頭部２１ｂのフランジ面２１ｄが着座して）、押し込み方向の位置決めがされる。図１４（ｃ）の例では、キャップ２１の装着状態で、頭部２１ｂのフランジ面２１ｄと肩面１７ｃとの間にスキマが生じている。頭部２１ｂの先端面は、湾曲した凸面状（例えば、凸球面状）に形成され、キャップ２１の固定状態でその頭部２１ｂの先端は、リング部材１７の端面（吐水ヘッド５に対向する面）から小寸法外方へ突出した位置にある。吐水ヘッド５が、引き出された状態から水栓本体２へ装着される（嵌め込まれる）際には、図１４（ｂ）に示すように吐水ヘッド５の端面５ａがキャップ２１の頭部２１ｂに当たり、頭部２１ｂを押し潰す向きに弾性変形させつつ（空洞２１ｅがあるので弾性変形しやすく、消音効果もある）、またこの例では頭部２１ｂのフランジ面２１ｄと肩面１７ｃとのスキマの減少（又は消滅）を伴って、キャップ２１が軸方向に弾性的に圧縮されて、胴部２１ａが側方へ膨らみ、吐水ヘッド５の端面５ａがリング部材１７の端面１７ｅ（水栓本体２の端面）に当たる寸前で（多少当たってもよいが）、吐水ヘッド５の装着（戻し操作）が完了する。これによって、吐水ヘッド５の水栓本体２への装着時の異音や衝撃が緩和される。キャップ２１は弾性クッション材と言い換えることもできる。この例では、キャップ２１の頭部２１ｂの弾性変形と、胴部２１ａの弾性変形による二重の緩衝作用が生じる。なお、キャップ２１は、吐水ヘッド５が水栓本体２から引き出された際に、リング部材１７の外端面が露出するため、ねじ部材１９の頭部を隠す意味もある。２０は空所である。
【００３１】
テーパ筒部材４０は、水栓本体２の開口端側に向かって漸次径が大きくなるテーパ内周面１４を備え、ここに吐水ヘッド５側のテーパ筒部材２２のテーパ外周面２４が嵌合するようになっている。
【００３２】
水栓本体２の先端部を構成する前記リング部材１７（このリング部材１７もヘッド嵌合部に含まれる）には、その中心線の周りに複数（例えば４個）等角度間隔で、弾性係合部２５が配置されている。各弾性係合部２５は、リング部材１７の中心側に開口する装着孔２９と、この装着孔２９にその中心線に沿う方向に移動可能に設けられたストッパ（例えば鋼球）２６と、そのストッパ２６をリング部材１７の内周側へ付勢する弾性部材としてのスプリング２７と、このスプリング２７に所定の圧縮加重を付与するねじプラグ２８とを備えている。なお、ストッパ２６は装着孔２９の開口から一部が突出する位置を限度として、それ以上の中心側への移動は阻止されるように装着孔２９に配置されている。このような弾性係合部２５と、上述のねじ部材１９とは、例えば４個ずつが４５度の角度差をもってリング部材１７に均等に配置される。
【００３３】
吐水ヘッド５のテーパ筒部材２２は、その外端部側に円筒面状の部分を有し、ここに周方向に連続する係合凹部３２が環状溝として形成されている。係合凹部３２は浅い円弧状の断面を有し、ここに水栓本体２側のストッパ（鋼球）２６が、スプリング２７の弾性力で嵌まり込むことにより、吐水ヘッド５が水栓本体２の先端部から下方へ抜け落ちることが防止される。これら、弾性係合部２５と係合凹部３２とが協働して、吐水ヘッド固定機構を構成している。
【００３４】
なお、図８に示すように、吐水ヘッド５が水栓本体２から引き出される際、ストッパ２６の球面の一部Ａ及び吐水ヘッド５側の係合凹部３２の円弧面の一部Ｂとが力を及ぼしあい、そのうちＢの面を斜面状のカム面と把握することができ、吐水ヘッド５を引き出す際に、この斜面（Ｂ）がストッパ２６（カムフオロア）に対し、Ａ部において引っ込み方向の分力を付与する結果、スプリング２７を押し縮めつつストッパ２６が係合凹部３２から抜け出て、吐水ヘッド５が引き出される。
【００３５】
他方、吐水ヘッド５が押し込まれる際には、前述のテーパ外周面２４（Ｃ）がカム面として機能し、その押し込みに従いカム面Ｃがストッパ２６を徐々に退避方向へスプリング２７を圧縮しつつ押し動かした後、ストッパ２６が係合凹部３２に嵌入（着座）して、吐水ヘッド５が固定状態となる。その際図５に示すように、水栓本体２側のテーパ内周面１４に、吐水ヘッド５側のテーパ外周面２４がほぼ嵌合し、その状態で前記ストッパ２６が係合凹部３２に嵌入する結果、これらテーパ内周面１４及びテーパ外周面２４が吐水ヘッド５の押し込み動作を誘導・案内し、いわばセンタリング作用をなすこととなる。
【００３６】
この実施例で、円形断面を有する水栓本体２の外面直径と薄い円筒状をなす吐水ヘッド５（外殻ケース３５）の外面直径とはほぼ等しくされ、水栓本体２の外周面と吐水ヘッド５の外周面とがほぼ面一となる。したがって、吐水ヘッド５はあたかも水栓本体２の先端部を構成するような形態となり、水栓本体２と吐水ヘッド５とが形態的にも構造的にも一体感を強める。そして、水栓本体２の先端部に見える吐水ヘッド５が、実は水栓本体２から分離して引き出せるという意外性が、斬新性を高めている。
【００３７】
図６に示すように給水ホース４は、給水元としての供給管路１２に接続され、そこから水又は所定の温度の湯が吐水ヘッド５に導かれるが、供給管路１２には給湯管路４６と水道管路４７とが接続され、その接続部分において給湯管路４６の流量を調整する一種のバルブとして、前述の第１調節ハンドル４１が設けられ、また水道管路４７から供給管路１２にいたる湯水の流量を調整するバルブの役割を、前述の第２調節ハンドル４２が担う。
【００３８】
そして、図１、図２に示すように、吐水ヘッド５と水栓本体２との直径（外径）はほぼ等しくされ、かつ第１および第２調節ハンドル４１及び４２の直径（外径）は、水栓本体２の直径（外径）よりもやや小さく、又は大きく、若しくはほぼ同一とされ、そして円弧状の太い水栓本体２の両側で、かつ対称位置に、これまた太く短い円柱状の各調節ハンドル４１及び４２が配置されることにより、一体感のあるデザインを実現し、かつ重厚感・高級感を高めている。
【００３９】
また、吐水ヘッド５の外周面には凸凹部としてローレット加工部１３が外周面全体にわたって施され、また第１・第２調節ハンドル４１及び４２の上側部分にもはちまき状に、凸凹部としてのローレット加工部４３、４４が円環状に形成され、これらローレット加工部１３、４３及び４４の幅（高さ）は、ほぼ等しくされ、一層統一感のある形態をなしている。また、これらローレット加工部１３、４３及び４４が存在することで、吐水ヘッド５を把持して引き出したり戻したりする際、滑りにくく、また各調節ハンドル４１及び４２を回転操作する際にも滑りにくく安定した操作ができるようになっている。
【００４０】
さらに図１２に示すように、シンク５０のワークトップ（キッチントップ）５１の表面処理と、水栓本体２及び各調節ハンドル４１及び４２の表面処理（ローレット加工部１３、４３及び４４は除く）として、同じ処理（例えば、バイブレイション研磨仕上げ）を施すことができ、それによってワークトップ５１から、水栓本体２及び第１・第２調節ハンドル４１及び４２が、はえてきたかのような印象を与え、極めて斬新な水栓装置１となる。
【００４１】
図１３は、水栓本体２から吐水ヘッド５を引き出した状態を示すもので、例えば給水ホース４を介して、この吐水ヘッド５が３０ｃｍとか４０ｃｍとか引き出されることにより、シンク５０の隅々まで洗い流せることとなる。
【００４２】
なお図１０に示すように、水栓本体２の基端部には、自身の内側へ環状に突出する内方フランジ部５３、及び内方フランジ部５３の内周縁から連続的に下方へ延びる筒状ボス部５４が一体的に設けられ、水栓本体２はそれら内方フランジ部５３及び筒状ボス部５４まで含んだものとなっている。
【００４３】
そして、シンク上面５１を構成するワークトップパネル５５を貫通して形成された取付孔５６に、筒状ボス部５４がその取付孔５６の下端開口から突出するように挿入されるとともに、内方フランジ部５３がパッキン５７を介して、ワークトップ（シンク上面）５１に着座する。筒状ボス部５４の外周には、おねじ５８が切ってあり、装着孔５６から突出した筒状ボス部５４にワッシャ５９を介して、ナット６０が締め込まれることにより、水栓本体２がワークトップパネル５５に固定される。６５は、水栓本体２の内方フランジ５３の下面に下向きに固定された回転防止ピンであり、このピン６５が、ワークトップパネル５５に形成された位置決め孔６６に嵌まりこむことで、水栓本体２のワークトップパネル５５に対する回転が防止されている。
【００４４】
なお、筒状ボス部５４の内側には、スリーブ６１が嵌合されているとともに、止め輪６２で固定されている。６３はシールである。このスリーブ６１と供給ホース４とが、吐水ヘッド５の引き出し時及び戻し時に摺接し、スリーブ６１が供給ホース４との摩擦を軽減し、またホース４を保護する。
【００４５】
図１１は、水栓本体２及び第１・第２調節ハンドル４１及び４２（水栓装置１）を含む配管系を示している。供給管路１２には、給湯管路４６から第１調節ハンドル４１を介して水が、また水道管路４７から第２調節ハンドル４２を介して湯が、それぞれ導かれて混合され、所望の流量及び温度の湯水が供給管路１２から供給ホースを経て（Ａ→Ａ）、吐水ヘッド５へ導かれる。第１・第２調節ハンドル４１及４２の機能（水用・湯用）が逆の場合もある。
【００４６】
なお、第１・第２調節ハンドル４１及び４２は、水又は湯の流量を制御するもので、それぞれ一方へ回転させると、管路が絞られ流量が少なくなり（最終的には遮断）、他方向へ回転させると管路が拡がって流量が増えるものであるが、構造自体は公知であるため、詳しい説明は省略する。
【００４７】
以上この発明の一実施例を説明したが、これはあくまでも例示であって、本発明がこの実施例の形態に限定されないのはもちろんである。
【図面の簡単な説明】
【００４８】
【図１】本発明の一実施例である水栓装置の正面図。
【図２】その背面図。
【図３】その右側面図。
【図４】その平面図。
【図５】水栓本体の先端部の一部断面図。
【図６】吐水ヘッドを引き出した状態の図５に対応する断面図。
【図７】図５のさらに詳細な断面図。
【図８】吐水ヘッド固定機構の一例を概念的に示す図。
【図９】吐水ヘッドの底面図。
【図１０】本実施例の水栓装置を、シンクのワークトップパネルへ取り付ける場合の取付構造の一例を示す断面図。
【図１１】水栓装置につながる配管系統の一例を示す管路図。
【図１２】水栓装置とキッチントップとの位置関係を示す斜視図。
【図１３】吐水ヘッドを引き出した状態を示す図１２に対応する斜視図。
【図１４】（ａ）キャップの斜視図、（ｂ）図６におけるキャップの断面図、（ｃ）吐水ヘッドを嵌め込む際のキャップの作用を示す断面図。
【符号の説明】
【００４９】
１    水栓装置
２    水栓本体
３    空洞部
４    給水ホース
５    吐水ヘッド
１２  供給管路（供水元）
１３、４３、４４  ローレット加工部
１４  テーパ内周面
２４  テーパ外周面
２２、４０  テーパ筒部材
２５    弾性係合部
４１  第１調節ハンドル
４２  第２調節ハンドル
【図１】
2010095947.tif 000003
【図２】
2010095947.tif 000004
【図３】
2010095947.tif 000005
【図４】
2010095947.tif 000006
【図５】
2010095947.tif 000007
【図６】
2010095947.tif 000008
【図７】
2010095947.tif 000009
【図８】
2010095947.tif 000010
【図９】
2010095947.tif 000011
【図１０】
2010095947.tif 000012
【図１１】
2010095947.tif 000013
【図１２】
2010095947.tif 000014
【図１３】
2010095947.tif 000015
【図１４】
2010095947.tif 000016